(57)【要約】【課題】尿流量率計の本体に装着した際に、注ぎ口の向きが一意に決定されるカップを提供する。【解決手段】尿流量率計の本体２に装着されて尿を受けるカップ３は、底面１１ａと、底面１１ａの外周端から上方に向かって延び、底面１１ａを取り囲むように設けられた環状の側面１１ｂとを有するカップ本体１１と、側面１１ｂに設けられた注ぎ口１２と、カップ３が尿流量率計の本体２に装着された際に、注ぎ口１２が尿流量率計の本体２に対してあらかじめ決められた向きとなるようにする複数の突出部２１〜２３と、を備える。【選択図】図２Ａ
2016065859.tif 000002
【特許請求の範囲】
【請求項１】
尿流量率計の本体に装着されて尿を受けるカップであって、
底面と、当該底面の外周端から上方に向かって延び、当該底面を取り囲むように設けられた環状の側面とを有するカップ本体と、
前記側面に設けられた注ぎ口と、
前記カップが前記尿流量率計の本体に装着された際に、前記注ぎ口が前記尿流量率計の本体に対してあらかじめ決められた向きとなるようにする向き決め部と、を備えたカップ。
【請求項２】
前記尿流量率計の本体は、当該本体を把持するために用いられる把持部を有しており、
前記向き決め部は、前記カップが前記尿流量率計の本体に装着された際に、前記注ぎ口が前記把持部と反対側の向きとなるようにする、請求項１記載のカップ。
【請求項３】
前記底面は、円形状であり、
前記向き決め部は、前記底面の外周端の周方向に設けられた、下方に向けて突出する複数の突出部であり、
前記複数の突出部には、周方向の長さの異なるものが存在し、
前記複数の突出部は、前記カップが載置される、前記尿流量率計の本体の載置台の側面に設けられた複数の凹部とそれぞれ嵌り合う、請求項１または請求項２記載のカップ。
【請求項４】
前記底面の内側のあらかじめ決められた位置に固定された尿検査試験紙をさらに備え、
前記尿検査試験紙は、
尿がかけられることによって呈色する複数の試薬部と、
前記複数の試薬部を担持する担持体と、を有し、
前記底面は、透明であり、
前記複数の試薬部の呈色の程度は、前記尿流量率計の本体によって測定される、請求項１から請求項３いずれか記載のカップ。
【請求項５】
前記担持体は、シート状であり、
前記複数の試薬部は、シート状の前記担持体の一面に担持されており、
前記尿検査試験紙は、前記試薬部が前記底面側となるように前記底面に固定される、請求項４記載のカップ。
【請求項６】
前記尿検査試験紙と前記底面との間には、尿が浸入可能な隙間が存在する、請求項５記載のカップ。
【請求項７】
前記担持体は、通液性を有する、請求項５記載のカップ。
【請求項８】
前記担持体は、透明なシート状であり、
前記複数の試薬部は、シート状の前記担持体の一面に担持されており、
前記尿検査試験紙は、前記担持体が前記底面側となるように前記底面に固定される、請求項４記載のカップ。
【請求項９】
前記底面における前記試薬部以外の領域に、磁性体が設けられている、請求項４から請求項８のいずれか記載のカップ。
【請求項１０】
請求項４から請求項９のいずれか記載のカップが装着される尿流量率計の本体であって、
前記向き決め部に応じて、あらかじめ決められた向きに前記カップが載置される載置台と、
前記載置台に載置された前記カップの重量を取得することによって、尿流量率を測定する尿流量率測定部と、
前記尿流量率測定部によって測定された尿流量率を出力する尿流量率出力部と、
前記尿検査試験紙の前記各試薬部を光学的に測定する光学測定部と、
前記光学測定部による測定結果を用いて、前記各試薬部に応じた検査結果を取得する検査結果取得部と、
前記検査結果を出力する検査結果出力部と、を備えた尿流量率計の本体。
【請求項１１】
前記光学測定部は、前記尿流量率測定部が排尿の開始を検知してからあらかじめ決められた時間の経過後に、前記試薬部の測定を行う、請求項１０記載の尿流量率計の本体。
【発明の詳細な説明】
【技術分野】
【０００１】
本発明は、尿流量率計の本体に着脱可能であり、当該本体に装着されて尿を受けるカップ、及び当該カップが装着される尿流量率計の本体に関する。
【背景技術】
【０００２】
従来、携帯式の尿流量率計が知られている（例えば、特許文献１参照）。その尿流量率計では、尿を受ける容器が着脱式であるため、尿を受ける部分を清潔に保つことができていた。
【先行技術文献】
【特許文献】
【０００３】
【特許文献１】国際公開２００７／１１１００１号
【発明の概要】
【発明が解決しようとする課題】
【０００４】
しかしながら、特許文献１に記載された従来の尿流量率計では、容器が本体に装着された状態で、容器内の尿を捨てることが難しいという問題があった。すなわち、尿を捨てる際に、尿が尿流量率計の本体の一部に触れる可能性があり、不衛生になる恐れがあった。また、尿を捨てた後に、容器の開口部付近に残った尿が載置台等に液だれする可能性があり、載置台等が不衛生になると共に、場合によっては、故障の原因となる可能性もあった。
【０００５】
本発明は、上記課題を解決するためになされたものであり、カップが尿流量率計の本体に装着された状態でカップ内の尿を適切に廃棄することができる、尿流量率計の本体に着脱可能なカップ、及び当該カップが装着される尿流量率計の本体を提供することを目的とする。
【課題を解決するための手段】
【０００６】
上記目的を達成するため、本発明によるカップは、尿流量率計の本体に装着されて尿を受けるカップであって、底面と、底面の外周端から上方に向かって延び、底面を取り囲むように設けられた環状の側面とを有するカップ本体と、側面に設けられた注ぎ口と、カップが尿流量率計の本体に装着された際に、注ぎ口が尿流量率計の本体に対してあらかじめ決められた向きとなるようにする向き決め部と、を備えたものである。
このような構成により、向き決め部によって、カップが装着された際の注ぎ口の向きが決められることになる。したがって、注ぎ口の向きが、尿を捨てるのに利便性の高い向きとなるようにしておくことによって、尿を捨てる際に、尿が尿流量率計の本体に付着する事態を回避することができ、その本体を衛生的に保つことができうる。また、カップが注ぎ口を有しているため、注ぎ口を有さない場合と比較して、尿を廃棄する際の液だれを効果的に防止できる。
【０００７】
また、本発明によるカップでは、尿流量率計の本体は、本体を把持するために用いられる把持部を有しており、向き決め部は、カップが尿流量率計の本体に装着された際に、注ぎ口が把持部と反対側の向きとなるようにするものであってもよい。
このような構成により、カップ内の尿を廃棄する際の作業性が向上することになり、その廃棄の際に尿によって尿流量率計の本体が汚れる可能性を低減することができる。
【０００８】
また、本発明によるカップでは、底面は、円形状であり、向き決め部は、底面の外周端の周方向に設けられた、下方に向けて突出する複数の突出部であり、複数の突出部には、周方向の長さの異なるものが存在し、複数の突出部は、カップが載置される、尿流量率計の本体の載置台の側面に設けられた複数の凹部とそれぞれ嵌り合ってもよい。
このような構成により、カップの構造や製造を複雑にすることなく、向き決め部を構成することができるようになる。また、例えば、各突出部の高さが揃っている場合には、カップを平面においた際に、その平面とカップの底面とが平行となるようにすることができる。
【０００９】
また、本発明によるカップでは、底面の内側のあらかじめ決められた位置に固定された尿検査試験紙をさらに備え、尿検査試験紙は、尿がかけられることによって呈色する複数の試薬部と、複数の試薬部を担持する担持体と、を有し、底面は、透明であり、複数の試薬部の呈色の程度は、尿流量率計の本体によって測定されてもよい。
このような構成により、尿流量率を測定すると共に、尿検査の結果をも得ることができるようになり、ユーザの利便性が向上されることになる。
【００１０】
また、本発明によるカップでは、担持体は、シート状であり、複数の試薬部は、シート状の担持体の一面に担持されており、尿検査試験紙は、試薬部が底面側となるように底面に固定されてもよい。
このような構成により、試薬部は底面側を向くことになるため、尿流量率計の本体は、その呈色の程度を測定することができるようになる。
【００１１】
また、本発明によるカップでは、尿検査試験紙と底面との間には、尿が浸入可能な隙間が存在してもよい。
このような構成により、その隙間を介して、呈色に必要な尿が試薬部に供給されることになる。
【００１２】
また、本発明によるカップでは、担持体は、通液性を有していてもよい。
このような構成により、その通液性を有する担持体を介して、呈色に必要な尿が試薬部に供給されることになる。
【００１３】
また、本発明によるカップでは、担持体は、透明なシート状であり、複数の試薬部は、シート状の担持体の一面に担持されており、尿検査試験紙は、担持体が底面側となるように底面に固定されてもよい。
このような構成により、試薬部がカップの上方側を向いていても、尿流量率計の本体は、透明な担持体を介して、その呈色の程度を測定することができるようになる。
【００１４】
また、本発明によるカップでは、底面における試薬部以外の領域に、磁性体が設けられていてもよい。
このような構成により、試薬部の呈色の程度を尿流量率計の本体によって測定することができると共に、その磁性体によって、カップが本体から不用意に外れることを防止することができる。
【００１５】
また、本発明による尿流量率計の本体は、カップが装着される尿流量率計の本体であって、向き決め部に応じて、あらかじめ決められた向きにカップが載置される載置台と、載置台に載置されたカップの重量を取得することによって、尿流量率を測定する尿流量率測定部と、尿流量率測定部によって測定された尿流量率を出力する尿流量率出力部と、尿検査試験紙の各試薬部を光学的に測定する光学測定部と、光学測定部による測定結果を用いて、各試薬部に応じた検査結果を取得する検査結果取得部と、検査結果を出力する検査結果出力部と、を備えたものである。
このような構成により、尿流量率計の本体は、カップに設けられた尿検査試験紙の各試薬部に応じた検査結果を取得することができ、尿流量率の測定と共に、尿検査の結果の取得をも行うことができるようになる。
【００１６】
また、本発明による尿流量率計の本体では、光学測定部は、尿流量率測定部が排尿の開始を検知してからあらかじめ決められた時間の経過後に、試薬部の測定を行ってもよい。
このような構成により、尿に触れてから測定を行うまでの期間が決まっている試薬部であっても、適切な測定を実現することができるようになる。
【発明の効果】
【００１７】
本発明による尿流量率計のカップによれば、注ぎ口を備えることによって、液だれなどを防止して、カップ内の尿を適切に廃棄することができるようになる。また、向き決め部によって注ぎ口の向きが決められることになる。したがって、注ぎ口の向きが、尿を捨てる際に利便性の高い向きとなるようにすることによって、例えば、尿を捨てる際に尿が尿流量率計の本体にかかることを防止することができる。また、カップに尿検査試験紙が固定されていることによって、尿流量率を測定すると共に、尿検査の結果をも取得することができるようになり、ユーザの利便性が向上されることになる。
【図面の簡単な説明】
【００１８】
【図１】本発明の実施の形態１による尿流量率計の正面図
【図２Ａ】同実施の形態によるカップの正面図
【図２Ｂ】同実施の形態によるカップの左側面図
【図２Ｃ】同実施の形態によるカップの右側面図
【図２Ｄ】同実施の形態によるカップの平面図
【図２Ｅ】同実施の形態によるカップの底面図
【図３】同実施の形態による尿流量率計の本体の斜視図
【図４】同実施の形態による尿流量率計の左側面図
【図５】同実施の形態によるカップの底面図
【図６Ａ】本発明の実施の形態２によるカップの平面図
【図６Ｂ】同実施の形態によるカップの底面の部分縦断面図
【図６Ｃ】同実施の形態によるカップの平面図
【図６Ｄ】同実施の形態によるカップの底面の部分縦断面図
【図６Ｅ】同実施の形態によるカップの平面図
【図６Ｆ】同実施の形態によるカップの底面の部分縦断面図
【図７】同実施の形態による尿流量率計の本体に装着されたカップの平面図
【図８】同実施の形態による尿流量率計の本体の斜視図
【図９】同実施の形態によるカップの底面図
【図１０】同実施の形態による尿流量率計の本体の機能的な構成を示すブロック図
【発明を実施するための形態】
【００１９】
以下、本発明による尿流量率計のカップ、及びそのカップの装着される尿流量率計の本体について、実施の形態を用いて説明する。なお、以下の実施の形態において、同じ符号を付した構成要素は同一または相当するものであり、再度の説明を省略することがある。
【００２０】
（実施の形態１）
本実施の形態による尿流量率計のカップは、注ぎ口を有しており、尿流量率計の本体に装着された際に、その注ぎ口があらかじめ決められた向きとなるものである。
【００２１】
図１は、本実施の形態による尿流量率計１の正面図である。図２Ａ〜図２Ｅはそれぞれ、本実施の形態による尿流量率計のカップ３の正面図、左側面図、右側面図、平面図、底面図である。なお、カップ３の背面図は、正面図と対象につき省略している。図３は、尿流量率計の本体２の斜視図である。図４は、尿流量率計１の左側面図である。
【００２２】
尿流量率計１は、携帯可能な携帯型のものであり、尿流量率計の本体２と、その本体２に対して着脱可能であるカップ３とを備えている。本体２は、装着されたカップ３で受けた尿の単位時間あたりの流量である尿流量率を測定する装置であり、基部２ａと、把持部２ｂと、支柱２ｃ、２ｄと、ガード部２ｅと、載置台２ｆとを備える。カップ３は、本体２に装着されて尿を受けるものであり、カップ本体１１と、注ぎ口１２と、突出部２１〜２３とを備える。
【００２３】
尿流量率計の本体２において、基部２ａには、尿流量率を測定する測定部や、測定された尿流量率を出力する出力部等が収容されている。なお、測定対象は、尿流量率のみであってもよく、また、排尿時刻や尿量等も含まれてもよい。また、その測定結果は、記録されてもよい。その記録は、一時的なものであってもよく、または、そうでなくてもよい。また、出力部は、例えば、尿流量率等を記録媒体に蓄積してもよく、外部に送信してもよく、その他の出力を行ってもよい。その記録媒体は、例えば、本体２に着脱可能なものであってもよく、または、そうでなくてもよい。また、外部への送信は、例えば、無線によって行われてもよく、または有線によって行われてもよい。把持部２ｂは、ユーザが本体２を把持するために用いられる。その把持部２ｂの形状は問わない。把持部２ｂは、図１等で示される棒状のものであってもよく、コーヒーカップ等に用いられる取っ手状のものであってもよく、把持可能なその他の形状のものであってもよい。把持部２ｂは、支柱２ｄに接続されている。本体２に装着されたカップ３の開口部を取り囲むように設けられたガード部２ｅは、２個の支柱２ｃ、２ｄによって支持されており、測定中のカップ３にユーザの衣服等が接触しないようにするためのものである。そのような接触が起こると、正確な測定を行えないからである。そのガード部２ｅは、少なくともその一部が、装着されたカップ３の開口部よりも高い位置に存在することが好適である。支柱２ｃ、２ｄの下端は、基部２ａに接続されている。着脱可能なカップ３は、基部２ａの上方に設けられた載置台２ｆに載置される。なお、載置台２ｆの内側には、載置台２ｆに載置されたものの重量を測定する機構等が収容されていてもよい。また、ガード部２ｅは、少なくともその一部が、装着されたカップ３の開口部よりも低い位置に存在してもよい。その場合には、カップ３が載置台２ｆから外れたとしても、カップ３の落下を防止できる。
【００２４】
カップ３は、本体２の載置台２ｆに装着され、人体から排出された尿を受けるものである。したがって、カップ３の大きさは、尿の全量を収容可能な大きさであれば、どのようなものであってもよいが、例えば、８００（ｍｌ）以上の容量であってもよく、または、そうでなくてもよい。また、その材質はプラスチック等の樹脂であってもよく、紙であってもよく、その他の材質であってもよい。なお、収容している尿が漏れない程度の防水性を有していることが好適である。また、カップ３は、使い捨てのものであってもよく、または洗浄後に再利用されるものであってもよい。カップ３の開口部の直径は問わないが、例えば、８〜１８（ｃｍ）であってもよく、１０〜１５（ｃｍ）であってもよく、または１１〜１３（ｃｍ）であってもよい。
【００２５】
カップ３のカップ本体１１は、底面１１ａと、底面１１ａの外周端から上方に向かって延び、底面１１ａを取り囲むように設けられた環状の側面１１ｂとを有する。その側面１１ｂは、底面１１ａに対して直角であってもよく、図２Ａ等で示されるように、底面１１ａに対して直角でなくてもよい。後者の場合には、側面１１ｂの上方の開口部が、底面１１ａよりも大きくなっていることが好適である。排出された尿を適切に収容できるようにするためである。底面１１ａは、図２Ｄ等で示されるように円形状であってもよく、または、そうでなくてもよい。後者の場合には、例えば、底面１１ａは、多角形状であってもよく、その他の形状であってもよい。カップ３の側面１１ｂには、注ぎ口１２が設けられている。その注ぎ口１２は、カップ３内の尿を注ぎ出すために用いられ、カップ３内の尿が流出しやすくするものである。注ぎ口１２は、図２Ａ等で示されるように、カップ本体１１の開口部の一端に存在してもよく、または急須の注ぎ口のように側面１１ｂの中程に設けられてもよい。その注ぎ口１２の形状は問わないが、カップ３内の液体を、注ぎ口１２を介して注ぐ際に液だれしない形状であることが好適である。
【００２６】
カップ３の下部には、複数の突出部２１〜２３が設けられている。各突出部２１〜２３は、底面１１ａから下方に向けて突出している。また、各突出部２１〜２３は、円形状の底面１１ａの外周端の周方向に設けられている。また、複数の突出部２１〜２３には、周方向の長さの異なるものが存在している。具体的には、突出部２１，２３は、周方向の長さが同じであり、突出部２２は、周方向の長さが突出部２１，２３より短くなっている。突出部２１〜２３は、図２Ａ〜図２Ｃで示されるように、側面１１ｂと連続するように構成されてもよい。また、突出部２１〜２３の間には、凹部３１〜３３が形成されている。また、本体２の載置台２ｆの上面板４０は円形状であり、その外周端から下方に延びる外周側面には、周方向に凸部４１〜４３と、凹部５１〜５３とが交互に設けられている。その凹部５１〜５３の周方向の長さは、カップ３の突出部２１〜２３の周方向の長さとそれぞれ略同じになっている。
【００２７】
カップ３が載置台２ｆに装着されると、底面１１ａが載置台２ｆの上面板４０と当接し、また、突出部２１〜２３が、載置台２ｆの側面に設けられた複数の凹部５１〜５３とそれぞれ嵌り合うことになる。また、カップ３の凹部３１〜３３と、載置台２ｆの側面に設けられた凸部４１〜４３とがそれぞれ嵌り合うことになる。したがって、底面１１ａが上面板４０に接触するようにカップ３を本体２に装着したとすると、カップ３を装着する向きが一意に決まることになり、また、カップ３は載置台２ｆの上において回転しないことになる。突出部２１〜２３と凹部５１〜５３とがそれぞれ嵌り合った際に、突出部２１〜２３の下端と、凹部５１〜５３の上端とは接してもよく、または接しなくてもよい。両者が接しない場合には、上述のように、カップ３が本体２に装着された際に、底面１１ａと上面板４０とが接することになる。一方、両者が接する場合には、カップ３が本体２に装着された際に、底面１１ａと上面板４０とは接してもよく、または接しなくてもよい。なお、カップ３が本体２に装着された際に、突出部２１〜２３はそれぞれ凹部５１〜５３に嵌ることになるが、両者の間には隙間が存在してもよい。すなわち、両者が嵌り合う目的は、注ぎ口１２の向きを一意に決めるためと、カップ３の載置台２ｆ上での回転を規制するためであるため、その目的を達成できる範囲において、両者の間に遊びが存在してもよい。
【００２８】
図１や図４で示されるように、カップ３が本体２に装着された際には、注ぎ口１２が、把持部２ｂと反対側の向きとなる。したがって、把持部２ｂを持ってカップ３内の尿をトイレ等において廃棄する際の作業性がよいことになり、尿を想定外の場所にこぼしたり、尿流量率計の本体２にかけてしまったりすることを低減させることができる。また、注ぎ口１２と把持部２ｂとが反対向きとなっていることによって、注ぎ口１２から最も遠い位置に把持部２ｂが存在することになり、注ぎ口１２から流れ出る尿が飛び散ったとしても、それがユーザの手にかかる可能性を低減させることができる。なお、注ぎ口１２と把持部２ｂとが反対側の向きであるとは、注ぎ口１２から尿が流れ出る方向と、把持部２ｂの基端から先端に向かう方向とが、カップ３の中心を挟んで反対向きとなっていることであると考えてもよい。
【００２９】
また、カップ３の下部に設けられた複数の突出部２１〜２３の上下方向の高さは、揃っていることが好適である。その場合には、カップ３を本体２から取り外してテーブル等の平面に載置した際に、その平面と底面１１ａとが平行になるため、仮にカップ３に尿が入っていたとしてもこぼれないことになる。
【００３０】
また、尿流量率計の本体２のガード部２ｅには、図４で示されるように、本体２に装着されたカップ３の注ぎ口１２とガード部２ｅとが干渉しないようにするためのくぼみ部２ｇが設けられている。したがって、図１で示されるように、カップ３が本体２に装着された際に、注ぎ口１２の先端が、ガード部２ｅや支柱２ｃよりも外側に突出するようにできる。その結果、カップ３から捨てられる尿が本体２に触れにくいようになっている。また、くぼみ部２ｇが存在することにより、カップ３を本体２に装着するユーザが、想定されている装着方向を容易に知ることができるようになる。そのくぼみ部２ｇは、カップ３が本体２に装着された際に注ぎ口１２が位置する箇所に設けられることが好適である。
【００３１】
なお、カップ３の注ぎ口１２や向き決め部以外の尿流量率計１の構成や動作は、上記特許文献１に記載されている尿流量測定装置と同様のものであってもよい。したがって、例えば、底面１１ａの外面側には、カップ３の底面図である図５で示されるように、シート状または板状の磁性体１５が設けられていてもよい。そして、カップ３が本体２に装着された際に、磁性体１５と、本体２に設けられた磁石とによって、カップ３が着脱可能に固定されてもよい。そのようにすることによって、手の動きや、排出時の尿の勢い等によって、尿の入っているカップ３が本体２から不用意に外れて尿が飛び散ることを防止できる。また、本体２に装着されたカップ３内の尿を捨てる際にも、カップ３が本体２から外れないようにすることができる。磁性体１５は、例えば、鉄やニッケル等の強磁性体であってもよい。また、その磁性体１５の形状は問わない。図５で示されるように、円形状であってもよく、多角形状などのその他の形状であってもよい。なお、磁性体１５が底面１１ａの外面側に設けられている場合には、載置台２ｆの上面板４０の裏面側には、磁性体１５とくっつく磁石（図示せず）が設けられているものとする。その磁石は、例えば、永久磁石であってもよく、または電磁石であってもよい。
【００３２】
また、本実施の形態では、突出部２１，２３と、突出部２２との周方向の長さが異なることにより、注ぎ口１２の向きが一意に決定される場合について説明したが、そうでなくてもよい。例えば、３個の突出部２１〜２３の周方向の長さはすべて同じであっても、それらが非対称に設けられていることによって、カップ３の装着方向が一意に決定されてもよい。また、３個の突出部２１〜２３の周方向の長さがすべて異なることによって、カップ３の装着方向が一意に決定されてもよい。また、カップ３の下部に設けられ、カップ３の装着方向を一意に決定するために用いられる突出部の個数は、２個であってもよく、または４個以上であってもよい。
【００３３】
また、カップ３が本体２に装着された際に、注ぎ口１２の向きが本体２に対してあらかじめ決められた向きとなるようにする、突出部２１〜２３以外の向き決め部を、カップ３が備えていてもよい。その向き決め部は、例えば、カップ３の下部に設けられた、多角形状の脚部であってもよい。その脚部は、上述した突出部が多角形状に連続しているものである。その場合には、本体２の載置台も、その向き決め部である脚部と嵌り合う形状となっており、載置台と脚部とが嵌り合う方向は一意に決まっていることが好適である。また、向き決め部は、例えば、カップ３の下部の一部に設けられた突起や切り込み等であってもよい。そして、その突起や切り込み等に対応する形状（例えば、突起等と嵌り合う形状など）を本体２の載置台が有しており、その結果、カップ３の装着方向が一意に決定されてもよい。このように、カップ３が尿流量率計の本体２に装着された際に、注ぎ口１２が尿流量率計の本体２に対してあらかじめ決められた向きとなるようにする向き決め部には、突出部２１〜２３以外にも種々のバリエーションが存在することになる。
【００３４】
以上のように、本実施の形態による尿流量率計のカップ３によれば、突出部２１〜２３等の向き決め部を有することにより、本体２に装着された際の注ぎ口１２の向きが一意に決定されることになる。また、ユーザがカップ３を本体２に装着する際に、想定されていない方向に誤って装着することを回避できる。したがって、その注ぎ口１２の向きを、カップ３内の尿を捨てやすい向きに設定しておくことにより、尿を捨てる際に、尿流量率計の本体２やユーザに尿がかかることを低減させることができる。また、カップ３が注ぎ口１２を有することによって、尿を捨てる際の液だれなども低減できることになる。例えば、尿流量率計の本体に装着されたカップの向きが決まらない場合であって、本体に装着されたカップの注ぎ口が把持部に近い方向を向いている場合には、ユーザがカップ内の尿を捨てる際に、把持部のほうに尿流量率計を傾けることも考えられ、ユーザや尿流量率計の本体に尿のかかる可能性が高くなる。また、そのような場合に、把持部の反対側から尿を捨てようとすると、注ぎ口を介さないで尿を捨てることになり、液だれ等によって尿流量率計の本体が汚れる可能性がある。一方、本実施の形態によるカップ３を用いることによって、そのようなことが起きないようにすることができる。さらに、向き決め部を複数の突出部２１〜２３で構成することによって、カップ３の製造性を低下させないようにすることができる。また、各突出部２１〜２３の高さが等しい場合には、水平な平面上にカップ３を載置した場合に、底面１１ａも水平となり、カップ３内の尿がこぼれないようにすることができる。また、カップ３を、尿流量率計の本体２に装着する以外の用途にも用いることができるようになる。
【００３５】
なお、上記説明では、注ぎ口１２が把持部２ｂと反対向きとなる場合について説明したが、そうでなくてもよい。例えば、図１や図４の状態からカップ３を９０度回転させた向きを注ぎ口１２が向くように、カップ３が本体２に装着されるようにしてもよい。
また、カップ３で受けられた尿は、他の検査等のために用いられてもよい。
【００３６】
また、尿流量率計の本体２に、特許文献１に記載されている複数のスイッチを設け、そのスイッチによって、ユーザによる排尿時の主観的な評価（例えば、「良好」「普通」「不満足」など）を入力できるようにしてもよい。その評価は、測定結果と共に記録されたり、出力されたりしてもよい。
【００３７】
また、本実施の形態における尿流量率計の本体２の構成は一例であり、カップ３の有する向き決め部に対応する構成を少なくとも有しているのであれば、それ以外の構成は上述したものと異なっていてもよい。
【００３８】
（実施の形態２）
本実施の形態によるカップには、尿検査試験紙が設けられており、尿流量率計の本体によって、ユーザの尿流量率が測定されると共に、尿検査の結果も取得されるものである。なお、本実施の形態による尿流量率計における尿検査に関する以外の構成は、実施の形態１と同様であり、その詳細な説明を省略する。
【００３９】
図６Ａは、本実施の形態によるカップ３の平面図であり、図６Ｂは、図６ＡのVIＢ−VIＢ線部分縦断面図である。
図６Ａ、図６Ｂで示されるカップ３は、尿検査試験紙１０１をさらに備えている以外は、実施の形態１と同様のものである。その尿検査試験紙１０１は、カップ３における底面１１ａの内側のあらかじめ決められた位置に固定されている。また、尿検査試験紙１０１は、尿がかけられることによって呈色する複数の試薬部１０３と、その複数の試薬部１０３を担持する担持体１０２とを有する。その試薬部１０３は特に限定されないが、例えば、ウロビリノーゲン、潜血、ビリルビン、ケトン体、ブドウ糖、タンパク質、ｐＨ、比重、亜硝酸塩、白血球、またはアスコルビン酸等を測定するための試薬を保持していてもよい。また、試薬部１０３の呈色は、例えば、発色であってもよく、または、変色であってもよい。また、本実施の形態では、尿検査試験紙１０１が４個の試薬部１０３を有する場合について主に説明するが、試薬部１０３の個数は２個以上であればよく、その個数は問わない。その複数の試薬部１０３は、それぞれ異なる検査を行うためのものである。例えば、４個の試薬部１０３はそれぞれ、潜血、タンパク質、ブドウ糖、ｐＨを測定するための試薬を保持していてもよい。各試薬部１０３の担持体１０２に対する位置は、一意に決まっていることが好適である。各試薬部１０３のカップ３に対する位置が一意に決まるようになるためである。そのような複数の試薬部１０３を有する尿検査試験紙１０１はすでに公知であり、その詳細な説明を省略する。その複数の試薬部１０３の呈色の程度は、尿流量率計の本体２によって測定される。したがって、本実施の形態では、尿流量率計の本体２によって、尿流量率と共に、尿検査の結果も取得されることになる。その尿検査の結果を取得することができるようにするため、カップ３の底面１１ａは、透明であるとする。なお、カップ３は、底面１１ａのみが透明であってもよく、その他の箇所も透明であってもよく、または、全体が透明であってもよい。カップ３の透明な部分は、例えば、透明な樹脂によって構成されてもよい。また、担持体１０２は、シート状のものであってもよく、または、棒状のものであってもよい。本実施の形態では、担持体１０２がシート状のものである場合について主に説明する。
【００４０】
上記実施の形態１で説明したように、カップ３は、突出部２１〜２３等の向き決め部を有しており、その向き決め部によって、尿流量率計の本体２に装着された際に、注ぎ口１２の向きがあらかじめ決められた方向になる。したがって、尿検査試験紙１０１が、底面１１ａのあらかじめ決められた位置に固定されることにより、結果として、カップ３が尿流量率計の本体２に装着された際に、その本体２に対する尿検査試験紙１０１の位置（すなわち、複数の試薬部１０３の各位置）も決まることになる。そのため、尿流量率計の本体２は、あらかじめ決められた位置に存在する試薬部１０３の呈色の程度をそれぞれ読み取ることによって、各試薬部１０３に応じた尿検査の結果を取得することができることになる。なお、底面１１ａのあらかじめ決められた位置とは、底面１１ａにおいて、注ぎ口１２に対してあらかじめ決められた位置であると考えてもよい。
【００４１】
図６Ａ，図６Ｂにおいて、尿検査試験紙１０１は、シート状のものであり、試薬部１０３が底面側となるように底面１１ａに固定される。その尿検査試験紙１０１の固定は、底面１１ａに固定された支持部１０４を介して行われる。すなわち、尿検査試験紙１０１の担持体１０２の両端は、２個の支持部１０４によってそれぞれ支持されている。また、複数の試薬部１０３は、担持体１０２の一面、すなわち、底面側の面に担持されている。その結果、図６Ｂで示されるように、尿検査試験紙１０１の各試薬部１０３と底面１１ａとの間には、カップ３に排出された尿が浸入することができる隙間が存在する。したがって、その隙間を介して尿が各試薬部１０３に触れ、それに応じて各試薬部１０３が呈色することになる。なお、２個の支持部１０４は、例えば、担持体１０２及び底面１１ａのそれぞれに接着されていてもよい。また、底面１１ａと試薬部１０３とは、尿が浸入可能である範囲において、近接していることが好適である。試薬部１０３の呈色状況を本体２によって適切に読み取ることができるようにするためである。
【００４２】
なお、図６Ａ，図６Ｂでは、尿検査試験紙１０１と底面１１ａとの間に隙間が存在する場合について説明したが、そうでなくてもよい。試薬部１０３は、底面１１ａに接触していてもよい。そのような尿検査試験紙１０１について、図６Ｃ，図６Ｄを用いて説明する。図６Ｃは、そのような尿検査試験紙１０１の固定されたカップ３の平面図であり、図６Ｄは、図６ＣのVIＤ−VIＤ線部分縦断面図である。その尿検査試験紙１０１では、試薬部１０３と底面１１ａとの間の隙間がなくなっている。そのため、カップ３で受けられた尿が試薬部１０３にまで達することができるようにするため、担持体１０２は、通液性を有しているものとする。すなわち、図６Ｃ，図６Ｄで示される尿検査試験紙１０１では、担持体１０２を介して各試薬部１０３に尿が触れ、その尿との接触によって、各試薬部１０３が呈色することになる。なお、その尿検査試験紙１０１は、試薬部１０３と底面１１ａとの間の隙間がない代わりに、担持体１０２が通液性を有する以外は、図６Ａ，図６Ｂで示される尿検査試験紙１０１と同様のものである。
【００４３】
また、図６Ａ〜図６Ｄでは、各試薬部１０３が底面側を向いている場合について説明したが、そうでなくてもよい。各試薬部１０３は、カップ３の開口側を向いていてもよい。そのような尿検査試験紙１０１について、図６Ｅ，図６Ｆを用いて説明する。図６Ｅは、そのような尿検査試験紙１０１の固定されたカップ３の平面図であり、図６Ｆは、図６ＥのVIＦ−VIＦ線部分縦断面図である。その尿検査試験紙１０１は、担持体１０２が底面側となるようにカップ３の底面１１ａに固定されている。そのような尿検査試験紙１０１の各試薬部１０３の呈色状況を、尿流量率計の本体２が読み取ることができるようにするため、担持体１０２は、透明なシート状である。その結果、その透明な担持体１０２を介して、本体２が各試薬部１０３の呈色状況を測定できるようになる。その尿検査試験紙１０１の担持体１０２と底面１１ａとの間には、図６Ｆで示されるように隙間が存在しないことが好適であるが、そうでなくてもよい。なお、その尿検査試験紙１０１は、透明な担持体１０２が底面側となる以外は、図６Ａ，図６Ｂで示される尿検査試験紙１０１と同様のものである。
【００４４】
なお、図６Ａ〜図６Ｆを用いて、尿検査試験紙１０１が設けられたカップ３の一例について説明したが、尿検査試験紙１０１が有する複数の試薬部１０３の呈色の程度を、尿流量率計の本体２によって適切に測定することができるのであれば、尿検査試験紙１０１をカップ３に固定するための構成は、図６Ａ〜図６Ｆで説明した以外のものであってもよい。例えば、図６Ａ，図６Ｂにおいて、支持部１０４を介さないで、尿検査試験紙１０１の両端を底面１１ａに固定してもよい。その場合でも、尿検査試験紙１０１と底面１１ａとの間に、尿が浸入可能な隙間が存在するようにすることが好適である。そのため、例えば、尿検査試験紙１０１を少し弛ませた状態で、その両端を底面１１ａに固定してもよい。
【００４５】
次に、カップ３の底面１１ａに固定された尿検査試験紙１０１の呈色状況を読み取る本体２側の構成について説明する。図８は、その尿流量率計の本体２の外観を示す斜視図である。図８で示されるように、載置台２ｆの上面板４０には、複数の試薬部１０３の呈色を測定するための窓１１０が設けられている。その窓１１０には、例えば、透明なガラス板や樹脂板が嵌め込まれていてもよい。また、載置台２ｆの窓１１０以外の部分は、不透明であってもよい。なお、その窓１１０は、尿検査試験紙１０１の複数の試薬部１０３が設けられている領域よりも大きいことが好適であるが、そうでなくてもよい。図７は、本体２に装着されたカップ３の平面図である。その図７の一点鎖線で示されるように、窓１１０の領域は、複数の試薬部１０３が設けられている領域よりも大きくなっていてもよい。また、その窓１１０の領域は、担持体１０２の領域よりも小さくてもよく、または、そうでなくてもよい。窓１１０の領域が担持体１０２よりも小さい場合であって、不透明のシート状の担持体１０２によって担持された複数の試薬部１０３が、底面側を向いている場合には、窓１１０から載置台２ｆの内部（後述する光学測定部２０４）に入る外光の量を低減させることができる。その結果、試薬部１０３の呈色状況をより正確に測定することができるようになる。また、上面板４０における窓１１０の位置は問わないが、通常、上面板４０の中心付近の裏面には、後述するロードセル２０１が存在するため、窓１１０は、中心から少しずれた位置に設けられてもよい。
【００４６】
図１０は、カップ３が装着される尿流量率計の本体２の機能的な構成を示すブロック図である。図１０において、尿流量率計の本体２は、ロードセル２０１と、尿流量率測定部２０２と、尿流量率出力部２０３と、光学測定部２０４と、検査結果取得部２０５と、検査結果出力部２０６とを備える。
【００４７】
ロードセル２０１は、載置台２ｆに載置されたカップ３の重量を測定するために用いられる。ロードセル２０１は、例えば、載置台２ｆに載置されたカップ３の重量に応じた電圧を出力するものであってもよい。カップ３が尿を受けた場合には、その受けた尿によってカップ３が重くなるため、それに応じて、排尿量を測定できるようになる。
【００４８】
尿流量率測定部２０２は、ロードセル２０１を用いて載置台２ｆに載置されたカップ３の重量を取得することによって、尿流量率を測定する。尿流量率測定部２０２は、例えば、ロードセル２０１から出力される電圧に応じたカップ３の重量を取得してもよい。そして、尿流量率測定部２０２は、そのようなカップ３の重量の取得を、所定の時間間隔で複数回行うことによって、尿流量率を測定することができる。なお、その尿流量率は、単位時間あたりにカップ３に排出される尿の量であってもよい。その単位時間は、例えば、１秒であってもよい。その計時のためのタイマや時計等を、尿流量率計の本体２が有していてもよい。また、尿の量は、尿の体積であってもよい。尿の重量を体積に変換する際に、尿の比重を１としてもよく、または、厳密な尿の比重を用いてもよい。後者の場合における比重は、例えば、一般的な尿の比重であってもよく、または尿検査試験紙１０１を用いて測定された尿の比重であってもよい。カップ３に尿が排出されていない場合には、カップ３の重量は変化しない。また、カップ３への排尿が終了した場合にも、カップ３の重量は変化しない。したがって、尿流量率測定部２０２は、カップ３の重量が増え始めたことによって、排尿の開始を検知することができ、また、カップ３の重量が増えた後に一定となったことによって、排尿の終了を検知することができる。尿流量率測定部２０２は、少なくとも、その排尿の開始から終了まで、所定の時間間隔でカップ３の重量を継続して測定するものとする。その所定の時間間隔は、例えば、一定であってもよく、または不定であってもよい。そのような尿流量率を算出する方法は、例えば、上記特許文献１等に記載されているように公知であり、その詳細な説明を省略する。なお、尿流量率測定部２０２は、排尿時刻や、尿量等をも取得してもよい。
【００４９】
尿流量率出力部２０３は、尿流量率測定部２０２によって測定された尿流量率を出力する。尿流量率測定部２０２が尿流量率以外の尿量等をも取得した場合には、尿流量率出力部２０３は、その尿量等をも出力してもよい。その出力は、例えば、表示デバイス（例えば、液晶ディスプレイや有機ＥＬディスプレイなど）への表示でもよく、所定の機器への有線または無線による送信でもよく、プリンタによる印刷でもよく、スピーカによる音声出力でもよく、記録媒体への蓄積でもよい。その記録媒体は、例えば、本体２に着脱可能なものであってもよく、または、そうでなくてもよい。なお、尿流量率出力部２０３は、出力を行うデバイス（例えば、通信デバイスなど）を含んでもよく、または含まなくてもよい。また、尿流量率出力部２０３は、ハードウェアによって実現されてもよく、または、それらのデバイスを駆動するドライバ等のソフトウェアによって実現されてもよい。
【００５０】
光学測定部２０４は、尿検査試験紙１０１の各試薬部１０３を光学的に測定する。例えば、光学測定部２０４は、各試薬部１０３に光を照射し、その反射光を受けることによって、各試薬部１０３の呈色の程度を測定してもよい。その呈色の程度は、例えば、光の反射率によって示されてもよい。すなわち、反射光度法等の光学的手法によって、各試薬部１０３の呈色反応を測定してもよい。また、例えば、光学測定部２０４は、各試薬部１０３をＣＣＤ等の撮像素子を用いて撮影することによって、各試薬部１０３の呈色の程度を取得してもよい。なお、光学測定部２０４は、載置台２ｆの上面板４０に設けられた窓１１０を介して、その光学的な測定を行うものとする。また、載置台２ｆには、向き決め部に応じて、あらかじめ決められた向きにカップ３が載置される。その結果、尿流量率計の本体２と、尿検査試験紙１０１の各試薬部１０３の位置関係が一意に決まることになり、正確な測定を実現することができる。また、光学測定部２０４は、尿流量率測定部２０２が排尿の開始を検知してからあらかじめ決められた時間（例えば、２０秒や３０秒等）の経過後に、試薬部１０３の測定を行ってもよい。なお、そのあらかじめ決められた時間は、すべての試薬部１０３について同じであってもよく、または、そうでなくてもよい。あらかじめ決められた時間が複数の試薬部１０３について異なっている場合には、光学測定部２０４は、その複数の試薬部１０３ごとに定められた各時間の経過後に、対応する試薬部１０３の呈色の程度を測定することが好適である。また、その時間は、例えば、本体２が有するタイマや時計等によって計時されてもよい。光学測定部２０４は、例えば、尿検査試験紙１０１の長さ方向に走査することにより、各試薬部１０３の測定を行ってもよい。
【００５１】
検査結果取得部２０５は、光学測定部２０４による測定結果を用いて、各試薬部１０３に応じた検査結果を取得する。例えば、呈色の程度（例えば、反射率など）と検査結果とを対応付ける情報（例えば、テーブルや関数等）を用いて、検査結果取得部２０５は、光学測定部２０４によって取得された試薬部１０３の呈色の程度に応じた検査結果を取得してもよい。その呈色の程度と検査結果とを対応付ける情報は、試薬部１０３ごとに図示しない記録媒体において記憶されていることが好適である。
なお、尿検査試験紙１０１の各試薬部１０３の呈色の程度を光学的に測定し、その測定結果に応じた検査結果を取得する装置はすでに公知であり、それらの処理の詳細な説明を省略する。
【００５２】
検査結果出力部２０６は、検査結果取得部２０５によって取得された検査結果を出力する。その出力は、例えば、表示デバイス（例えば、液晶ディスプレイや有機ＥＬディスプレイなど）への表示でもよく、所定の機器への有線または無線による送信でもよく、プリンタによる印刷でもよく、スピーカによる音声出力でもよく、記録媒体への蓄積でもよい。その記録媒体は、例えば、本体２に着脱可能なものであってもよく、または、そうでなくてもよい。なお、検査結果出力部２０６は、出力を行うデバイス（例えば、通信デバイスなど）を含んでもよく、または含まなくてもよい。また、検査結果出力部２０６は、ハードウェアによって実現されてもよく、または、それらのデバイスを駆動するドライバ等のソフトウェアによって実現されてもよい。
【００５３】
また、本実施の形態におけるカップ３においても、底面１１ａの外面側（下面側）には、図９の底面図で示されるように、シート状または板状の磁性体１５が設けられていてもよい。なお、本実施の形態の場合には、尿検査の適切な測定を行うことができるようにするため、底面１１ａにおける、尿検査試験紙１０１の試薬部１０３以外の領域に磁性体１５が設けられていることが好適である。そのように、カップ３の底面１１ａに磁性体１５が設けられている場合には、実施の形態１で説明したように、載置台２ｆの内部に設けられた磁石によって、カップ３が本体２に着脱可能に固定されてもよい。また、図９の底面図で示されるように、磁性体１５は、試薬部１０３に対応する領域に孔を有していてもよい。その孔は、例えば、複数の試薬部１０３の領域よりも大きく、担持体１０２の領域よりも小さくてもよい。そのようにすることで、磁性体１５が不透明であり、かつ担持体１０２も不透明である場合には、光学測定部２０４に入る外光の量を低減させることができる。
【００５４】
以上のように、本実施の形態によれば、底面１１ａに尿検査試験紙１０１が固定されており、その尿検査試験紙１０１の各試薬部１０３の呈色の程度を本体２の光学測定部２０４によって測定することによって、尿流量率の測定と共に、尿一般検査をも行うことができるようになる。その結果、ユーザの利便性が向上されることになる。また、カップ３が本体２に装着された際に、向き決め部によってカップ３の向きが決まることになる。したがって、カップ３のあらかじめ決められた位置に尿検査試験紙１０１を固定することによって、本体２に装着されたカップ３における各試薬部１０３の位置と、光学測定部２０４との位置関係が一意に決まることになる。その結果、各試薬部１０３について、適切な検査結果の取得を行うことができるようになる。
【００５５】
なお、本実施の形態において、尿流量率計の本体２に含まれる２以上の構成要素が通信デバイスや入力デバイス等を有する場合に、２以上の構成要素が物理的に単一のデバイスを有してもよく、または、別々のデバイスを有してもよい。前者の場合には、例えば、尿流量率出力部２０３と検査結果出力部２０６とは、物理的に単一のデバイスであってもよい。
【００５６】
また、本実施の形態において、排尿後、光学測定部２０４による測定が終了する前にカップ３が取り外されると、適切な検査を行うことができなくなる。したがって、光学測定部２０４による測定が終了した後に、カップ３を取り外してもよいことを示す出力が、図示しない出力部によって出力されてもよい。その出力は、例えば、カップ３を取り外してもよい旨を示す表示デバイスによる表示でもよく、カップ３を取り外してもよい旨を示す音声や音のスピーカによる音声出力でもよく、カップ３を取り外してもよい旨を示すランプの点灯等でもよい。
【００５７】
また、上記各実施の形態において、尿流量率計の本体２の各構成要素には、その本体２の有する電池（図示せず）から電力が供給されることが好適である。そのようにすることで、尿流量率計１の携帯性が向上するからである。なお、携帯範囲が限定されてもよい場合には、例えば、尿流量率計の本体２に有線のケーブルを介して商用電源から電力が供給されるようにしてもよい。
【００５８】
また、上記各実施の形態において、各構成要素間で行われる情報の受け渡しは、例えば、その情報の受け渡しを行う２個の構成要素が物理的に異なるものである場合には、一方の構成要素による情報の出力と、他方の構成要素による情報の受け付けとによって行われてもよく、または、その情報の受け渡しを行う２個の構成要素が物理的に同じものである場合には、一方の構成要素に対応する処理のフェーズから、他方の構成要素に対応する処理のフェーズに移ることによって行われてもよい。
【００５９】
また、上記各実施の形態において、各構成要素が実行する処理に関係する情報、例えば、各構成要素が受け付けたり、取得したり、選択したり、生成したり、送信したり、受信したりした情報や、各構成要素が処理で用いる閾値や数式、アドレス等の情報等は、上記説明で明記していなくても、図示しない記録媒体において、一時的に、または長期にわたって保持されていてもよい。また、その図示しない記録媒体への情報の蓄積を、各構成要素、または、図示しない蓄積部が行ってもよい。また、その図示しない記録媒体からの情報の読み出しを、各構成要素、または、図示しない読み出し部が行ってもよい。
【００６０】
また、上記各実施の形態において、各構成要素等で用いられる情報、例えば、各構成要素が処理で用いる閾値やアドレス、各種の設定値等の情報がユーザによって変更されてもよい場合には、上記説明で明記していなくても、ユーザが適宜、それらの情報を変更できるようにしてもよく、または、そうでなくてもよい。それらの情報をユーザが変更可能な場合には、その変更は、例えば、ユーザからの変更指示を受け付ける図示しない受付部と、その変更指示に応じて情報を変更する図示しない変更部とによって実現されてもよい。その図示しない受付部による変更指示の受け付けは、例えば、入力デバイスからの受け付けでもよく、通信回線を介して送信された情報の受信でもよく、所定の記録媒体から読み出された情報の受け付けでもよい。
【００６１】
また、上記各実施の形態において、各構成要素は専用のハードウェアにより構成されてもよく、または、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現されうる。その実行時に、プログラム実行部は、記憶部や記録媒体にアクセスしながらプログラムを実行してもよい。また、そのプログラムは、サーバなどからダウンロードされることによって実行されてもよく、所定の記録媒体（例えば、半導体メモリなど）に記録されたプログラムが読み出されることによって実行されてもよい。また、このプログラムは、プログラムプロダクトを構成するプログラムとして用いられてもよい。
【００６２】
また、本発明は、以上の実施の形態に限定されることなく、種々の変更が可能であり、それらも本発明の範囲内に包含されるものであることは言うまでもない。
【産業上の利用可能性】
【００６３】
以上より、本発明による尿流量率計のカップによれば、本体にカップを装着した場合に、カップの注ぎ口の向きが決まるようにすることができ、尿流量率計の本体に着脱可能なカップとして有用である。
【符号の説明】
【００６４】
１  尿流量率計
２  尿流量率計の本体
２ｂ  把持部
３  カップ
１１  カップ本体
１１ａ  底面
１１ｂ  側面
１２  注ぎ口
１５  磁性体
２１〜２３  突出部
１０１  尿検査試験紙
１０２  担持体
１０３  試薬部
１０４  支持部
２０１  ロードセル
２０２  尿流量率測定部
２０３  尿流量率出力部
２０４  光学測定部
２０５  検査結果取得部
２０６  検査結果出力部
【図１】
2016065859.tif 000003
【図２Ａ】
2016065859.tif 000004
【図２Ｂ】
2016065859.tif 000005
【図２Ｃ】
2016065859.tif 000006
【図２Ｄ】
2016065859.tif 000007
【図２Ｅ】
2016065859.tif 000008
【図３】
2016065859.tif 000009
【図４】
2016065859.tif 000010
【図５】
2016065859.tif 000011
【図６Ａ】
2016065859.tif 000012
【図６Ｂ】
2016065859.tif 000013
【図６Ｃ】
2016065859.tif 000014
【図６Ｄ】
2016065859.tif 000015
【図６Ｅ】
2016065859.tif 000016
【図６Ｆ】
2016065859.tif 000017
【図７】
2016065859.tif 000018
【図８】
2016065859.tif 000019
【図９】
2016065859.tif 000020
【図１０】
2016065859.tif 000021